(57)【特許請求の範囲】
【請求項１】
端部に端子を有する照明灯を設けて成るショーケースにおいて、
前記照明灯を本体の電源に接続するためのソケットを備え、
該ソケットは、前記本体側に固定されて内部に給電部を有する本体側ソケット部材と、前記照明灯に装着されて前記本体側ソケット部材に着脱自在に取り付けられる照明灯側ソケット部材とから成り、
前記本体側ソケット部材は本体側係合部を有し、前記照明灯側ソケット部材は前記本体側係合部に着脱自在に係合する照明灯側係合部を有し、前記照明灯に装着された前記照明灯側ソケット部材の照明灯側係合部が、前記本体側ソケット部材の本体側係合部に着脱自在に係合された状態で、前記照明灯の端子は前記本体側ソケット部材の給電部に直接、若しくは、導電部材を介して電気的に接続されると共に、
前記本体側ソケット部材には突起が形成され、該突起は、当該本体側ソケット部材内で一対の前記給電部間を仕切る仕切壁の先端であり、前記照明灯側ソケット部材には貫通孔が形成され、前記本体側係合部が前記照明灯側係合部に係合された状態で、前記突起は、前記貫通孔より突出することを特徴とするショーケース。
【請求項２】
前記照明灯側ソケット部材の貫通孔は、当該照明灯側ソケット部材内から排水を行うための水抜き孔であることを特徴とする請求項１に記載のショーケース。
【請求項３】
前記照明灯側係合部は、前記照明灯側ソケット部材の前記本体側ソケット部材とは反対側の端部より前記本体側ソケット部材から離間する方向に突出した後、屈曲されて前記本体側ソケット部材方向に延在する一対のアームの先端にそれぞれ形成されており、
両アームの弾性を利用してそれぞれが相互に近づく方向に押圧されることにより、前記照明灯側係合部は前記本体側係合部より離脱することを特徴とする請求項１又は請求項２に記載のショーケース。
【請求項４】
前記本体側ソケット部材内に設けられた給電部は弾性を有する接片より構成され、常時前記照明灯の端子との接続を解除する方向に付勢力を発揮することを特徴とする請求項１乃至請求項３の何れかに記載のショーケース。
【発明の詳細な説明】
【技術分野】
【０００１】
本発明は、陳列室内やショーケース前方を照明するために設けられる照明灯、特に、端部に端子を有する照明灯を設けて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている。照明灯としては一般に蛍光灯などが用いられるため、経年劣化に伴い交換作業が必要とされる。
【０００３】
陳列室内に取り付けられる各照明灯は、機械室内に設置した電源に接続された給電線が接続されている（特許文献１参照）。照明灯は、陳列室の前部に取り付けられているため、給電線は、当該照明灯の位置にまで引き出されて配線されており、いずれも棚の下面や天井面に沿って固定されている。
【０００４】
この場合において、ソケットを介して給電線に電気的に接続された照明灯は、棚下面や陳列室天井面に固定されたクリップなどに挟持させることで、固定されていた。特に、ショーケース内を冷却して用いる低温ショーケースなどにおいては、蛍光灯等の照明灯の温度依存性により照度が低下することを抑制するため、照明灯には保温筒が取り付けられる。そのため、ショーケースの左右に渡って長く取り付けられる照明灯は、交換作業時において、長手方向に対し複数取り付けられるクリップから脱着する作業や各ソケットへの脱着作業が伴うため、作業が煩雑となる問題があった。
【０００５】
そこで、上述した如き照明灯の交換作業を簡素化及び給電線の露出防止を図るため、特許文献２に示されるような蛍光灯の取付装置が開発されている。この蛍光灯の取付装置は、棚の下面に固定されるソケット本体と、当該ソケット本体に装着固定される蛍光灯ホルダーとから構成される。蛍光灯ホルダーは、受電用端子ピンが設けられる蛍光灯の両端に装着され、当該蛍光灯ホルダーをソケット本体に装着することで、給電線が棚下面から弛んだ状態で露出することなく、且つ、蛍光灯ホルダーとソケット本体との係合のみで棚下面に蛍光灯を取り付けられる。
【特許文献１】特開平７−１４３９２８号公報
【特許文献２】実開平５−６９８９２号公報
【発明の開示】
【発明が解決しようとする課題】
【０００６】
上述した如き特許文献２におけるソケット構成では、ソケットを構成する蛍光灯ホルダーとソケット本体は、蛍光灯ホルダーの端面の外面側に形成された両側の結合用弾性片をソケット本体に形成された係合片の係止溝に係合することで係脱自在に係合されていた。そして、適切に蛍光灯ホルダーがソケット本体に係合された状態で、受電用端子ピンが給電接片自身が有する弾性力によって接触することによりこれらは電気的に接続されるものであった。
【０００７】
しかしながら、本体側に設けられるソケット本体は、棚下に固定されているものであるため、蛍光灯を装着した蛍光灯ホルダーとソケット本体との係合は、作業者が視認し難い位置において作業することとなる。そのため、当該蛍光灯ホルダーが適切にソケット本体に係合されていない場合、少しの衝撃や接触などによって、容易にソケット本体から蛍光灯ホルダーと共に蛍光灯が脱落してしまうおそれがある。
【０００８】
また、確実に蛍光灯ホルダーとソケット本体が係合されないことで、受電用端子ピンと給電接片との接触不良が発生する問題があった。このような接触不良は、蛍光灯の点灯が確実に行われないという不都合を招来し、場合によっては、受電用端子ピンが異常な温度にまで上昇し、当該端子ピンやソケットが焼損する恐れがあった。
【０００９】
そこで、本発明は従来の技術的課題を解決するためになされたものであり、照明灯の端子とソケットに設けられる給電部との電気的接続を確実に、且つ、安全に行うことができると共に、照明灯の取付作業の簡素化を図ることができるショーケースを提供する。
【課題を解決するための手段】
【００１０】
本発明のショーケースは、端部に端子を有する照明灯を設けて成るものであって、照明灯を本体の電源に接続するためのソケットを備え、このソケットは、本体側に固定されて内部に給電部を有する本体側ソケット部材と、照明灯に装着されて本体側ソケット部材に着脱自在に取り付けられる照明灯側ソケット部材とから成り、本体側ソケット部材は本体側係合部を有し、照明灯側ソケット部材は本体側係合部に着脱自在に係合する照明灯側係合部を有し、照明灯に装着された照明灯側ソケット部材の照明灯側係合部が、本体側ソケット部材の本体側係合部に着脱自在に係合された状態で、照明灯の端子は本体側ソケット部材の給電部に直接、若しくは、導電部材を介して電気的に接続されると共に、本体側ソケット部材には突起が形成され、この突起は、当該本体側ソケット部材内で一対の給電部間を仕切る仕切壁の先端であり、照明灯側ソケット部材には貫通孔が形成され、本体側係合部が照明灯側係合部に係合された状態で、突起は、貫通孔より突出することを特徴とする。
【００１１】
請求項２の発明のショーケースは、上記発明において、照明灯側ソケット部材の貫通孔は、この照明灯側ソケット部材内から排水を行うための水抜き孔であることを特徴とする。
【００１２】
請求項３の発明のショーケースは、上記各発明において、照明灯側係合部は、照明灯側ソケット部材の本体側ソケット部材とは反対側の端部より本体側ソケット部材から離間する方向に突出した後、屈曲されて本体側ソケット部材方向に延在する一対のアームの先端にそれぞれ形成されており、両アームの弾性を利用してそれぞれが相互に近づく方向に押圧されることにより、照明灯側係合部は本体側係合部より離脱することを特徴とする。
【００１３】
請求項４の発明のショーケースは、上記各発明において、本体側ソケット部材内に設けられた給電部は弾性を有する接片より構成され、常時照明灯の端子との接続を解除する方向に付勢力を発揮することを特徴とする。
【発明の効果】
【００１４】
本発明によれば、端部に端子を有する照明灯を設けて成るショーケースにおいて、照明灯を本体の電源に接続するためのソケットを備え、このソケットは、本体側に固定されて内部に給電部を有する本体側ソケット部材と、照明灯に装着されて本体側ソケット部材に着脱自在に取り付けられる照明灯側ソケット部材とから成り、本体側ソケット部材は本体側係合部を有し、照明灯側ソケット部材は本体側係合部に着脱自在に係合する照明灯側係合部を有し、照明灯に装着された照明灯側ソケット部材の照明灯側係合部が、本体側ソケット部材の本体側係合部に着脱自在に係合された状態で、照明灯の端子は本体側ソケット部材の給電部に直接、若しくは、導電部材を介して電気的に接続されると共に、本体側ソケット部材には突起が形成され、照明灯側ソケット部材には貫通孔が形成されており、本体側係合部が照明灯側係合部に係合された状態で、突起は、貫通孔より突出するので、本体側係合部が照明灯側係合部に係合されたか否かを当該突起が貫通孔を突出したか否かによって容易に判別することが可能となる。
【００１５】
これにより、照明灯側ソケット部材が本体側ソケット部材に適切に係合されているか否かを容易に判別することができるため、係合不良による脱落や、照明灯の端子と給電部若しくは、導電部材を介した電気的接続が不良となる不都合を未然に回避することが可能となる。従って、照明灯の端子とソケットに設けられる給電部との電気的接続を確実に、且つ、安全に行うことができると共に、照明灯の取付作業の簡素化を図ることができる。
【００１６】
また、正常に照明灯側ソケット部材が本体側ソケット部材に係合されていることは、照明灯側ソケット部材の貫通孔から突出される本体側ソケット部材の突起の有無により判別できるため、通常、視認し難い位置に設けられている当該ソケットの取付状態を手探りによって把握することが可能となる。
【００１７】
特に、本体側ソケット部材の突起は、この本体側ソケット部材内で一対の給電部間を仕切る仕切壁の先端であるので、従来より本体側ソケット部材内で一対の給電部間を仕切るために形成されていた仕切壁を用いて容易に突起を形成することが可能となる。
【００１８】
請求項２の発明によれば、上記発明において、照明灯側ソケット部材の貫通孔は、この照明灯側ソケット部材内から排水を行うための水抜き孔であるので、特に、当該ショーケースが低温ショーケースである場合、ソケットの表面に付着し、照明灯側ソケット部材内に浸入した結露を、水抜き孔として用いられる貫通孔より排出することが可能となる。当該結露水によるショーケースを抑制することができ、安全に照明灯を使用することが可能となる。
【００１９】
請求項３の発明によれば、上記各発明において、照明灯側係合部は、照明灯側ソケット部材の本体側ソケット部材とは反対側の端部より本体側ソケット部材から離間する方向に突出した後、屈曲されて本体側ソケット部材方向に延在する一対のアームの先端にそれぞれ形成されており、両アームの弾性を利用してそれぞれが相互に近づく方向に押圧されることにより、照明灯側係合部は本体側係合部より離脱することから、当該照明灯側係合部と本体側係合部との係脱を可能とするアーム自体の弾性による変位量を大きくすることができる。
【００２０】
そのため、当該アームに加わる負荷を軽減することができ、折損する不都合を著しく抑制することが可能となる。
【００２１】
請求項４の発明によれば、上記各発明において、本体側ソケット部材内に設けられた給電部は弾性を有する接片より構成され、常時照明灯の端子との接続を解除する方向に付勢力を発揮するので、照明灯側係合部と本体側係合部との係合が外れると、給電部を構成する接片が照明灯の端子との接続を解除する方向に当該端子を押し出すこととなり、接触不良による故障を防止することが可能となる。
【発明を実施するための最良の形態】
【００２２】
以下、本発明を適用したショーケース１について図面を参照して説明する。図１は本発明の実施例としての低温ショーケース１の斜視図、図２は低温ショーケース１の概略縦断側面図、図３は棚８下面の斜視図を示している。各図において、低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連のダクト９が構成されている。
【００２３】
そして、このダクト９は陳列室５の開口上縁にて開口する吐出口１０と、開口下縁にて開口する吸込口１１に連通すると共に、背面のダクト９には冷却装置Ｒに含まれる冷却器１２が縦設され、底板７下方のダクト９内には送風機１３が設置される。
【００２４】
陳列室５内には、上下に渡って複数段の棚８・・が架設される。この棚８は、左右に取り付けられるブラケット６５、６５により、陳列室５内に設けられる支柱６４に保持される。この棚８は、下面に補強板３２が左右側端と所定間隔を存して左右に渡って取り付けられており、本実施例では、棚下前部と、棚下後部の２つ設けられている。係る補強板３２は、上辺が下辺よりも長い断面略台形状に形成されており、本実施例では、下面は当該棚８の前端に取り付けられるプライスレール８Ａの下端位置と略面一であるものとする。
【００２５】
そして、当該棚８の下面には、詳細は後述する如きソケット２２を介して下側に架設される棚８上の商品や、陳列室５前方を照明するための照明灯１４が着脱自在に取り付けられている。
【００２６】
また、断熱壁２の前面開口の上縁には、吐出口１０の前側に位置してキャノピー１５が設けられ、当該キャノピー１５の下部には、陳列室８内や陳列室８周辺を上部から照明するための照明灯１６がソケット２２を介して着脱自在に取り付けられている。尚、当該照明灯１４、１６は、端部に受電用の端子を備え、給電部からの給電により点灯可能とするものであり、例えば、蛍光灯、ＬＥＤなどであるものとする。
【００２７】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００２８】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００２９】
次に、図４乃至図１５を参照して本発明のショーケース１の照明灯１４のソケット２２の構造について説明する。図４は陳列室５の一側に取り付けられるソケット２２の側面図、図５は図４のソケット２２の部分透視断面図、図６は本体側ソケット部材２３の側面図、図７は本体側ソケット部材２３の蓋部材２６の側面図、図８は図６を下側からみた平面図、図９は本体側ソケット部材２３の正面図、図１０は照明灯側ソケット部材２４の斜視図、図１１は照明灯側ソケット部材２４の正面図、図１２は図１１を右からみた図、図１３は図１１を裏側からみた図、図１４は照明灯側ソケット部材２４の縦断正面図、図１５は図１１を下からみた図をそれぞれ示している。
【００３０】
本実施例におけるソケット２２は、端部に受電用の端子１４Ａを有する照明灯１４を係脱自在にショーケース１の本体側、本実施例では、棚８下面に固定するものである。ソケット２２は、本体側ソケット部材２３と、照明灯側ソケット部材２４とから構成される。
【００３１】
本体側ソケット部材２３は、内方に向けて開放する筐体２５と、当該筐体２５の開口を閉塞する蓋部材２６とから構成される。筐体２５は、棚８下面に当接して取り付けられる本体側取付面２８と、当該本体側取付面２８から下方に突出して形成される接続部２９と、当該本体側取付面２８の後端に形成されるコンデンサ収容部３０とが硬質合成樹脂にて一体に成形されている。接続部２９とコンデンサ収容部３０は、連通して形成されていると共に、いずれも陳列室５内方に向けて開口する。
【００３２】
そして、照明灯１４の両端に取り付けられるソケット２２の内の一方のソケット２２のコンデンサ収容部３０内にのみ、コンデンサ３４が収容される。
【００３３】
筐体２５に形成される接続部２９には、本体側ソケット部材２３内部を上下に区画する仕切壁２９Ａが形成されている。この仕切壁２９Ａを隔てて一対の給電接片（給電部）３５、３５が収納されており、これら給電接片３５、３５は、仕切壁２９Ａにより仕切られることとなる。
【００３４】
これら給電接片３５の上端には、それぞれ給電線３６が接続されている。このとき、筐体２５にコンデンサ３４が収容されているソケット２２については、一方の給電線３６は、当該コンデンサ３４に接続され、他方の給電線３６は、蓋部材２６が取り付けられた状態で外部に引き出され、ショーケース１の機械室１７内に設けられる図示しない電源に接続される。また、コンデンサ３４が収容されていないソケット２２については、いずれの給電線３６も蓋部材２６が取り付けられた状態で外部に引き出された後、一方は、前記コンデンサ３４が収容されたソケット２２内のコンデンサ３４に接続され、他方の給電線３６は上記と同様に電源に接続される。
【００３５】
給電接片３５は、弾性材料にて構成されており、図５に示されるように接続部２９の中央に向けて折曲され、両給電接片３５、３５が近接した後、これらが離間する方向、即ち、接続部２９の側方、本体側ソケット部材２３の前側に収容される給電接片３５については前方（図５では左側）、後側に収容される給電接片３５については後方（図５では右側）に向けて折曲形成されると共に、当該端部が外方前側に収容される給電接片３５については前方（図５では左側）、後側に収容される給電接片３５については後方に折り返され、当該端部が接続部２９の内壁に対向する形状とされている。
【００３６】
そして、この接続部２９の下面には、仕切壁２９Ａを隔てた状態で照明灯１４の受電用の端子１４Ａを下端から挿入するための挿入部３９が形成されている。そのため、接続部２９の下端に形成される挿入部３９から挿入される端子１４Ａは、給電接片３５が取り付けられる接続部２９内に進入可能となる。
【００３７】
また、この接続部２９の前後面には、図９に示すように下端から所定高さ、具体的には、接続部２９内に収容される給電接片３５の折り返された端面に対応する高さ位置にまで渡って切欠２９Ｃ、２９Ｃが形成されている。
【００３８】
そして、前述した如き接続部２９の仕切壁２９Ａの先端（下端）は、上記挿入部３９の端子１４Ａ入口高さ寸法よりも下側にまで所定寸法だけ突出して突起２９Ｂが形成されている。
【００３９】
また、接続部２９の前後（図５では左右に図示される）には、垂下した後、下端が内方に向けて突出する係合爪（本体側係合部）４０、４０が筐体２５と一体に形成されている。この係合爪４０、４０は、後述する照明灯側ソケット部材２４に形成される係合爪（照明灯側係合部）４１、４１と着脱自在に係合するため、当該係合爪４０と接続部２９との間には、所定の空間が形成されているものとする。
【００４０】
一方、筐体２５の本体側取付面２８の前端には、棚８下面の図示しない取付片に係脱自在に係止される取付面係合部３１が形成されている。
【００４１】
また、筐体２５のコンデンサ収容部３０は、本体側取付面２８に対し、下後方に向けて傾斜して形成されている。そして、このコンデンサ収容部３０の後面は、棚８下面に形成される断面略台形状の補強板３２の前壁３２Ａに沿って取付可能とするため、所定角度だけ傾斜して形成される。補強板３２は、当該ソケット２２の取付位置に、図示しない係合孔が形成されており、コンデンサ収容部３０の後面には、補強板３２の前壁３２Ａに向けて突出して形成される保持突起３３が形成されている。
【００４２】
また、コンデンサ収容部３０の前面は、前記接続部２９の後側に位置する係合爪４０の外方に（本実施例では後側に）連続して一体に形成されていると共に、当該係合爪４０と照明灯側ソケット部材２４の係合爪４１との係合に対し、鋭角を成すように傾斜しながら離間する傾斜面３０Ａとされている。これにより、当該傾斜面３０Ａと、照明灯側ソケット部材２４の係合爪４１との間には、手指を挿入可能とする手指挿入空間が形成される。
【００４３】
他方、蓋部材２６は、図７に示されるように、筐体２５の接続部２９及びコンデンサ収容部３０の開口と外形が略同様に形成されている。筐体２５の接続部２９の蓋部分に相当する位置には、前記筐体２５に形成される挿入部３９及び仕切壁２９Ａに対応して端子挿入用の切欠４２が形成されている。更に、接続部２９の上部には、照明灯側ソケット部材２４の上縁に当接するフランジ４４が形成されている。
【００４４】
そして、蓋部材２６は、筐体２５の本体側取付面２８の後部に対応する位置に、給電線引出口２６Ａが形成されている。また、コンデンサ収容部３０の蓋部材に相当する位置には、コンデンサ収容部３０内に向けて開口する蓋側コンデンサ収容部４５が形成されると共に、当該蓋側コンデンサ収容部４５の後端には、筐体２５のコンデンサ収容部３０の後面と略面一とされる固定部４６が形成されている。この固定部４６には、アース用端子固定部４８（図８及び図９に示す）が形成されている。
【００４５】
次に、図１０乃至図１５を参照して照明灯側ソケット部材２４について説明する。照明灯側ソケット部材２４は、上記本体側ソケット部材２３と同様に、硬質合成樹脂にて形成されており、照明灯１４の端部に装着される装着部５５と、当該装着部５５の外側に形成される収容部５６とから構成される。
【００４６】
装着部５５は、照明灯１４の端部を囲繞する有底円筒状のカバー部５７と、当該カバー部５７の内壁に内方に向けて突出して形成される複数の照明灯保持部５８とから構成されている。この照明灯保持部５８は、当該カバー部５７内に挿入される照明灯１４外周を略きっちりと保持可能とする。
【００４７】
また、このカバー部５７の外周面には、図１２に図示されるように照明灯１４の挿入方向と略平行に形成される複数の突条から成る保温筒保持部５９が形成されている。保温筒４３は、照明灯１４の長手方向に渡って周囲を囲繞する硬質合成樹脂製の透明な円筒部材であり、照明灯１４と陳列室５内との熱切りの機能を有するものである。そのため、装着部５５のカバー部５７の外形寸法は、保温筒４３の内径寸法よりも小さく形成されているものとし、当該カバー部５７の外形寸法と、保温筒４３の内径寸法との差を保温筒保持部５９の突条によって埋め合わせることで、略きっちり保温筒４３を保持することが可能となる。
【００４８】
そして、カバー部５７を構成する円筒底面、即ち、カバー部５７の外端面には、照明灯１４端部に設けられる受電用の端子１４Ａ、１４Ａを挿通可能とする端子挿通孔６０、６０が形成されている。この端子挿通孔６０は、中央部分を一方向だけかしめて形成することで他の方向よりも短く形成された長孔形状とされている。そのため、端子１４Ａが挿通された状態で、端子挿通孔６０の内縁は端子１４Ａに圧接される。これにより、一旦端子挿通孔６０に挿通された端子１４Ａが、容易には外れないものとなる。
【００４９】
他方、装着部５５の外側に形成される収容部５６は、上面が開口し、内部に本体側ソケット部材２３の接続部２９を挿脱自在に収容するための収容空間が形成されており、当該収容空間、即ち、収容部５６内は、前記カバー部５７の端子挿通孔５８を介して挿通された照明灯１４の端子１４Ａが進入される。
【００５０】
また、この収容部５６内の下角隅には、それぞれ内部上方に向けて突出して形成される押圧部６１、６１が収容部５６に一体に形成されている。更に、この収容部５６の下面には、貫通孔６２が形成されている。この貫通孔６２は、詳細は後述する如く照明灯側ソケット部材２４の照明灯側係合部４１と、本体側ソケット部材２３の本体側係合部４０とが係合された状態で、上記本体側ソケット部材２３の突起２９Ｂが貫通孔６２より突出する孔であり、本実施例では、水抜き孔を兼ねている。
【００５１】
一方、収容部５６の前後（図１３では左右に図示される）には、一対のアーム４７、４７が形成されている。このアーム４７、４７は、収容部５６の下面、即ち、本体側ソケット部材２３とは反対側の端部から、所定寸法だけ当該本体側ソケット部材２３の収容部５６から離間する方向に突出した後、屈曲されて本体側ソケット部材２３方向に延在し、当該端部には、係合爪４１、４１が形成されている。
【００５２】
当該アーム４７、４７は、屈曲部分を中心として内方に押圧可能とする弾性材料により構成されており、上端が外方、即ち、前側に形成される係合爪４１は、前方に向けて、後側に形成される係合爪４１は、後方に向けて突出して形成されている。この係合爪４１、４１は、それぞれ上述した如き本体側ソケット部材２３に形成される係合爪４０、４０と係脱可能とされている。また、本実施例では、当該アーム４７は、その局所的な加重を回避し、その折損を抑制すべく、収納部５６下面から係合爪４１部分にかけて略同一の太さ寸法に形成されていることが好ましい。
【００５３】
次に、本実施例におけるソケット２２の取付方法及び当該ソケット２２による照明灯１４の取付方法について説明する。先ず初めに、ソケット２２を構成する本体側ソケット部材２３を棚８下面に固定する。
【００５４】
図３に示すように、本体側ソケット部材２３のコンデンサ収容部３０の後面に形成された保持突起３３を棚８下面に設けられる補強板３２と棚側面を構成する棚側板６８との間に当該棚側板６８に沿って挿入し、取付面係合部３１を図示しない取付片に係止させて棚８下面の端部に本体側ソケット部材２３を取り付ける。尚、このとき、本体側ソケット部材２３は、ネジによって補強板３２に固定してもよい。
【００５５】
次に、照明灯１４の両端に照明灯側ソケット部材２４を装着する。このとき、照明灯１４の受電用の端子１４Ａは、カバー部５７に形成される端子挿通孔６０、６０に挿通されると共に、当該端子１４Ａがカバー部５７の外方に形成される収容部５６内に臨んだ状態となる。このとき、カバー部５７の内壁の照明灯保持部５８により、照明灯１４がカバー部５７内に略きっちりと保持される。
【００５６】
照明灯１４の両端に照明灯側ソケット部材２４が装着された状態で、各照明灯側ソケット部材２４を本体側ソケット部材２３に取り付ける。即ち、本体側ソケット部材２３の接続部２９を照明灯側ソケット部材２４の収容部５６の内部に挿入する。このとき、収容部５６内には、照明灯１４の受電用の端子１４Ａが臨んで取り付けられていることから、当該端子１４Ａは、接続部２９の下端に形成される挿入部３９から内方に進入し、当該接続部２９内部に収容される給電接片３５と接触する。
【００５７】
ここで、給電接片３５は、上述したように弾性部材によって接続部２９の中央に向けて折曲され両給電接片３５、３５が近接した後、これらが離間する方向、即ち、接続部２９の側方、本体側ソケット部材２３の前側に収容される給電接片３５については前方（図５では左側）、後側に収容される給電接片３５については後方（図５では右側）に向けて折曲形成されると共に、当該端部が外方前側に収容される給電接片３５については前方（図５では左側）、後側に収容される給電接片３５については後方に折り返されている。
【００５８】
そのため、挿入部３９から端子１４Ａが挿入されるに伴い、照明灯側ソケット部材２４の収容部５６内の押圧部６１、６１は、接続部２９の前後面に形成される切欠２９Ｂから接続部２９の内部に進入する。これによって、押圧部６１は、接続部２９内の給電接片３５、３５に接触し、当該給電接片３５を内方に、即ち、端子１４Ａ側に付勢する。
【００５９】
このとき、端子１４Ａが接触する部分の当該給電接片３５は、両給電接片３５、３５が離間する方向に向けて折曲形成されているため、当該端子１４Ａ、１４Ａと両給電接片３５、３５との接続を解除する方向、即ち、端子１４Ａ、１４Ａを押し出す方向に付勢力が発揮されている。
【００６０】
この状態から、当該給電接片３５の付勢力に抗して、更に照明灯側ソケット部材２４を上方に押し上げる。これにより、収容部５６の外方に形成される係合爪４１、４１が、本体側ソケット部材２３の接続部２９の外方に形成される係合爪４０、４０と係合する。
【００６１】
これにより、照明灯側ソケット部材２４の係合爪４１と、本体側ソケット部材２３の係合爪４０とを係合させることによって、本体側ソケット部材２３内に収容される給電接片３５がその付勢力によって照明灯１４の端子１４Ａ側に当接し、これら端子１４Ａと給電接片３５が、電気的に接続される。
【００６２】
そのため、係合爪４０と係合爪４１との係合が不完全である場合には、上述したように給電接片３５が照明灯１４の端子１４Ａとの接続を解除する方向に当該端子を押し出すこととなり、接触不良による故障を防止することが可能となる。
【００６３】
従って、従来の構造に比べて確実に給電接片３５と照明灯１４の端子１４Ａとの電気的接続を行うことができるようになり、信頼性を向上することができる。そのため、接触不良により、点灯不全や、温度が異常に上昇することによる端子１４Ａやソケット２２の焼損を未然に回避することができ、ソケット２２自体の信頼性が向上する。
【００６４】
また、本体側ソケット部材２３の係合爪４０が照明灯側ソケット部材２４の係合爪４１に適切に係合された状態では、図４及び図５に示されるように、本体側ソケット部材２３の仕切壁２９Ａの先端に形成された突起２９Ｂは、照明灯側ソケット部材２４の貫通孔６２より突出する。即ち、当該突起２９Ｂは、貫通孔６２を介して照明灯側ソケット部材の本体側ソケット部材２３とは反対側の面から突出する。
【００６５】
これに対し、図１６、図１７に示されるように、本体側ソケット部材２３の係合爪４０が照明灯側ソケット部材２４の係合爪４１に係合される以前は、本体側ソケット部材２３の仕切壁２９Ａの先端に形成された突起２９Ｂは、照明灯側ソケット部材２４の貫通孔６２より突出していない。また、図１８及び図１９に示されるように一方の係合爪４０と一方の係合爪４１のみが係合し、他方の係合爪４０と他方の係合爪４１が非係合とされているような不完全な係合状態では、本体側ソケット部材２３の突起２９Ｂは、照明灯側ソケット部材２４の貫通孔６２より突出しない。
【００６６】
従って、本体側ソケット部材２３の係合爪４０が照明灯側ソケット部材２４の係合爪４１と適切に係合されたか否かを、本体側ソケット部材２３の突起２９Ｂが照明灯側ソケット部材２４の貫通孔６２を突出したか否かによって容易に判別することが可能となる。
【００６７】
これにより、照明灯側ソケット部材２４が本体側ソケット部材２３に適切に係合されているか否かを容易に判別することができるため、係合不良による脱落や、照明灯１４の端子１４Ａと給電接片３５の電気的接続が不良となる不都合を未然に回避することが可能となる。従って、照明灯１４の端子１４Ａとソケット２２に設けられる給電接片２４との電気的接続を確実に、且つ、安全に行うことができると共に、照明灯１４の取付作業の簡素化を図ることができる。
【００６８】
特に、正常に照明灯側ソケット部材２４が本体側ソケット部材２３に係合されていることは、取付作業時に手指が触れやすい照明灯側ソケット部材２４の本体側ソケット部材２３とは反対側の端面において貫通孔６２から突出される本体側ソケット部材２３の突起２９Ｂの有無により判別できるため、通常、視認し難い位置に設けられている当該ソケットの取付状態を手探りによって把握することが可能となる。
【００６９】
また、本実施例における本体側ソケット部材２３の突起２９Ｂは、上述したように本体側ソケット部材２３内で一対の給電接片３５、３５間を仕切る仕切壁２９Ａの先端に設けられているので、従来より本体側ソケット部材２３内で一対の給電接片３５、３５間を仕切るために形成されていた仕切壁２９Ａを用いて容易に突起２９Ｂを形成することが可能となる。
【００７０】
また、当該突起２９Ｂが突出する貫通孔６２は、照明灯側ソケット部材２４の本体側ソケット部材２３とは反対側の端面、即ち、棚下に設けられた場合に下面を構成する面に形成されている。そのため、照明灯１４やソケット２２の表面に付着した結露が照明灯側ソケット部材２４内、特に端子１４Ａが収容される収容部５６内に浸入した場合であっても、当該貫通孔６２は、水抜き孔として機能し、当該結露水が端子１４Ａに付着することなく、容易に貫通孔６２から外部に円滑に排出することができる。これにより、当該結露水によるショートを抑制することができ、安全に照明灯１４を使用することが可能となる。
【００７１】
他方、本体側ソケット部材２３と照明灯側ソケット部材２４との係合を離脱させる際に、本体側ソケット部材２３のコンデンサ収容部３０の前面に形成された傾斜面３０Ａと、照明灯側ソケット部材２４に形成された後側の係合爪４１との間に形成される手指挿入空間に人差し指や中指を挿入し、前側の係合爪４１に親指を宛う。そして、手指により、係合爪４１が形成されるアーム４７、４７をその弾性を利用してそれぞれが相互に近づく方向に押圧する。
【００７２】
これにより、係合爪４１が形成されるアーム４７が内方に向けて変形し、係合爪４１が内方に向けて変形し、係合爪４０との係合が離脱する。
【００７３】
このとき、係合爪４１が形成されるアーム４７は、照明灯側ソケット部材２４の本体側ソケット部材２３とは反対側の端部より本体側ソケット部材２３から離間する方向に突出した後、屈曲されて本体側ソケット部材方向に延在するように形成されているため、より係合爪４１から離間した位置で当該アーム４７を内方に向けて変形させても、その端部に形成される係合爪４１の変位量を大きくすることができる。
【００７４】
特に、図５に示されているように、アーム４７は、その先端に形成される係合爪４１と、係合爪４０との係合位置よりも照明灯側ソケット部材２４の収納部５６と離間して形成されることによって、当該アーム４７の内方に向けた変形操作によってその先端の係合爪４１の変位量を大きくすることができる。
【００７５】
従って、少許のアーム４７の変形操作によって、係合爪４０を効率的に変位させることができるため、当該アーム４７に加わる負荷を軽減することができ、折損する不都合を著しく抑制することが可能となる。
【００７６】
また、係る構成とすることによって、当該アーム４７自体の断面厚み寸法の変化を緩やかに形成することが可能となり、アーム４７自体の弾性力によるひずみの変化を少なくすることが可能となる。そのため、より一層、アーム４７の折損を抑制することができ、長寿命化を図ることができる。
【００７７】
尚、本実施例では、給電部を構成する給電接片３５、３５に直接照明灯１４の端子１４Ａを接触させて電気的に接続する場合について説明しているが、これに限定されるものではなく、給電部を構成する給電接片に給電側端子を電気的に接続し、この給電側端子を照明灯側ソケット部材に設けられる受電側端子（導電部材）を内部に挿入し、電気的に接続する構成とした場合であってよい。即ち、本体側ソケット部材２３の係合爪４０と、照明灯側ソケット部材２４の係合爪４１とが適切に係合された状態で、照明灯１４の端子１４Ａが本体側ソケット部材２３の給電接片３５に導電部材を介して電気的に接続される場合においても、本願発明を適用することができる。
【図面の簡単な説明】
【００７８】
【図１】低温ショーケースの斜視図である。
【図２】図１の低温ショーケースの概略縦断側面図である。
【図３】ソケット及び照明灯が取り付けられた状態の棚の下面斜視図である。
【図４】陳列室の一側に取り付けられるソケットの側面図である。（適切な係合状態）
【図５】図４のソケットの部分透視断面図である。
【図６】本体側ソケット部材の側面図である。
【図７】本体側ソケット部材の蓋部材の側面図である。
【図８】図６を下側からみた平面図である。
【図９】本体側ソケット部材の正面図である。
【図１０】照明灯側ソケット部材の斜視図である。
【図１１】照明灯側ソケット部材の正面図である。
【図１２】図１１を右からみた図である。
【図１３】図１１を裏側からみた図である。
【図１４】照明灯側ソケット部材の縦断正面図である。
【図１５】図１１を下からみた図である。
【図１６】陳列室の一側に取り付けられるソケットの側面図である。（係合前の状態）
【図１７】図１６のソケットの部分透視断面図である。
【図１８】陳列室の一側に取り付けられるソケットの側面図である。（不適切な係合状態）
【図１９】図１８のソケットの部分透視断面図である。
【符号の説明】
【００７９】
１    低温ショーケース（ショーケース）
５    陳列室
８    棚
１４  照明灯（棚下用）
１４Ａ  端子（受電用）
２２  ソケット
２３  本体側ソケット部材
２４  照明灯側ソケット部材
２９  接続部
２９Ａ  仕切壁
２９Ｂ  突起
３５  給電接片（給電部）
３９  挿入部
４０  係合爪（本体側係合部）
４１  係合爪（照明灯側係合部）
４７  アーム
５５  装着部
５６  収容部
６０  端子挿通孔
６１  押圧部
６２  貫通孔
【図１】
0005311890.tif 000002
【図２】
0005311890.tif 000003
【図３】
0005311890.tif 000004
【図４】
0005311890.tif 000005
【図５】
0005311890.tif 000006
【図６】
0005311890.tif 000007
【図７】
0005311890.tif 000008
【図８】
0005311890.tif 000009
【図９】
0005311890.tif 000010
【図１０】
0005311890.tif 000011
【図１１】
0005311890.tif 000012
【図１２】
0005311890.tif 000013
【図１３】
0005311890.tif 000014
【図１４】
0005311890.tif 000015
【図１５】
0005311890.tif 000016
【図１６】
0005311890.tif 000017
【図１７】
0005311890.tif 000018
【図１８】
0005311890.tif 000019
【図１９】
0005311890.tif 000020